(57)【要約】      （修正有）【課題】店頭陳列時には説明書き面、効能書き面、或いは宣伝広告面を見せて陳列出来、使用時には加飾面を見せて高級感を与えることが出来、開封後であっても容器内部に埃等が侵入し難い容器を提供する。【解決手段】平板状の底板２と、一部に係止溝３ａが形成された前面板３と、後面板４と、一対の側面板５と、天部に開口部９を形成すると共に、容器１の内側に凸状に湾曲され且つ上方に凸状の天片６ａを有する梁板６と、天片６ａに対応して湾曲されオーバーラップして当接し得る蓋板７と、係止溝３ａに係止し得る係止舌片８ａを有し、ジッパ部８ｂを開放して前面板３に接着された接着部８ｃと分離して係止溝３ａを露出させると共に、蓋板７をヒンジ部10として回動可能に開放し得る操作板８とを有して箱型に構成された容器１である。【選択図】図１
2008087838.tif 000002
【特許請求の範囲】
【請求項１】
平板状の底板と、
前記底板に接続され、一部に係止溝が形成された平板状の前面板と、
前記底板に接続される平板状の後面板と、
前記底板に接続される一対の側面板と、
前記前面板に接続され、天部に収納物を取り出す開口部を形成すると共に、容器の内側に向かって凸状に湾曲され且つ容器の上方に向かって凸状に湾曲された天片を有する梁板と、
前記後面板に接続され、前記梁板の天片の湾曲形状に対応して容器の内側に向かって凸状に湾曲され且つ容器の上方に向かって凸状に湾曲され、該天片上にオーバーラップして当接し得る蓋板と、
前記蓋板に接続されると共に前記前面板の一部に形成された係止溝に係止し得る係止舌片を有し、前記前面板に一部が接着され、ジッパ部を開放して前記前面板に接着された接着部と分離して前記前面板の一部に形成された係止溝を露出させると共に、前記蓋板を前記後面板との接続部をヒンジ部として回動可能に開放し得る操作板と、
を有することを特徴とする容器。
【請求項２】
前記梁板は、一部が前記容器の内側に向かって凸状に湾曲される天片の湾曲線に沿って折曲されて平板状でなる前記側面板の外側にオーバーラップして接着され、他の一部が折曲されて前記後面板の内面に接着されることを特徴とする請求項１に記載の容器。
【請求項３】
前記前面板、前記梁板、前記蓋板及び前記操作板のそれぞれの表面が加飾面とされ、前記底板及び前記後面板のぞれぞれが説明書き面、効能書き面、或いは宣伝広告面の何れかとされたことを特徴とする請求項１または請求項２に記載の容器。
【発明の詳細な説明】
【技術分野】
【０００１】
本発明は、店頭陳列時には説明書き面、効能書き面、或いは宣伝広告面を見せて陳列出来、使用時には加飾面を見せて高級感を与えることが出来、開封後であっても容器内部に埃等が侵入し難い容器に関するものである。
【背景技術】
【０００２】
従来、底板と天板を外方に突出するように円弧状に湾曲させて内容物の収納部を形成し、該天板に蓋板が当接する容器が特開２００３−１４６３２３号公報（特許文献１）により提案されている。このような容器では内容物の収納部の上面が完全に開放されておらず部分的に天板により被覆された状態となっているので、内容物を保持しやすく開封した際に内容物が溢れ出すことがないとしている。
【０００３】
【特許文献１】特開２００３−１４６３２３号公報
【発明の開示】
【発明が解決しようとする課題】
【０００４】
しかしながら、前述の特許文献１の容器では、底板と天板の両方が外方に突出するように円弧状に湾曲しているため据え置き型の容器としては姿勢が不安定であり、店頭の陳列姿勢が制限されるという問題がある。従って、店頭陳列時には説明書き面、効能書き面、或いは宣伝広告面を見せて陳列し、使用時には加飾面を見せて高級感を与えるという使い分けが出来ないという問題があった。
【０００５】
本発明は前記課題を解決するものであり、その目的とするところは、店頭陳列時には説明書き面、効能書き面、或いは宣伝広告面を見せて陳列出来、使用時には加飾面を見せて高級感を与えることが出来、開封後であっても容器内部に埃等が侵入し難い容器を提供せんとするものである。
【課題を解決するための手段】
【０００６】
前記目的を達成するための本発明に係る容器の第１の構成は、平板状の底板と、前記底板に接続され、一部に係止溝が形成された平板状の前面板と、前記底板に接続される平板状の後面板と、前記底板に接続される一対の側面板と、前記前面板に接続され、天部に収納物を取り出す開口部を形成すると共に、容器の内側に向かって凸状に湾曲され且つ容器の上方に向かって凸状に湾曲された天片を有する梁板と、前記後面板に接続され、前記梁板の天片の湾曲形状に対応して容器の内側に向かって凸状に湾曲され且つ容器の上方に向かって凸状に湾曲され、該天片上にオーバーラップして当接し得る蓋板と、前記蓋板に接続されると共に前記前面板の一部に形成された係止溝に係止し得る係止舌片を有し、前記前面板に一部が接着され、ジッパ部を開放して前記前面板に接着された接着部と分離して前記前面板の一部に形成された係止溝を露出させると共に、前記蓋板を前記後面板との接続部をヒンジ部として回動可能に開放し得る操作板とを有することを特徴とする。
【０００７】
また、本発明に係る容器の第２の構成は、前記第１の構成において、前記梁板は、一部が前記容器の内側に向かって凸状に湾曲される天片の湾曲線に沿って折曲されて平板状でなる前記側面板の外側にオーバーラップして接着され、他の一部が折曲されて前記後面板の内面に接着されることを特徴とする。
【０００８】
また、本発明に係る容器の第３の構成は、前記第１、第２の構成において、前記前面板、前記梁板、前記蓋板及び前記操作板のそれぞれの表面が加飾面とされ、前記底板及び前記後面板のぞれぞれが説明書き面、効能書き面、或いは宣伝広告面の何れかとされたことを特徴とする。
【発明の効果】
【０００９】
本発明に係る容器の第１の構成によれば、蓋板が容器の内側に向かって凸状に湾曲され且つ容器の上方に向かって凸状に湾曲された梁板の天片上にオーバーラップして当接し得るためジッパ部を開放した開封後であっても容器内部に埃等が侵入し難い。
【００１０】
また、本発明に係る容器の第２の構成によれば、一対の平板状の側面板の外側に梁板の一部が容器の内側に向かって凸状に湾曲される天片の湾曲線に沿って折曲されてオーバーラップして接着されたことで、梁板の天片と側面板との間に隙間が出来ず容器内部に埃等が侵入し難い。また、梁板の天片の剛性を確保することが出来る。
【００１１】
また、本発明に係る容器の第３の構成によれば、店頭陳列時には底板或いは後面板の説明書き面、効能書き面、或いは宣伝広告面を見せて陳列出来、使用時には前面板、梁板、蓋板及び操作板のそれぞれの表面が加飾面となり高級感を与えることが出来る。
【発明を実施するための最良の形態】
【００１２】
図により本発明に係る容器の一実施形態を具体的に説明する。図１は本発明に係る容器の構成を示す正面図、平面図及び側面図、図２は本発明に係る容器の構成を示す斜視図、図３は本発明に係る容器のジッパ部を開放して蓋板を開放した様子を示す斜視図、図４は店頭陳列時に容器の底板或いは後面板の説明書き面、効能書き面、或いは宣伝広告面を見せて陳列した場合の一例を示す斜視図、図５及び図６はそれぞれ本発明に係る容器の裏面及び表面から見た展開図である。
【００１３】
図１〜図６において、容器１は平板状の底板２と、該底板２に接続され、一部に係止溝３ａが形成された平板状の前面板３と、底板２に接続される平板状の後面板４と、底板２に接続される一対の側面板５と、前面板３に接続され、天部に収納物を取り出す開口部９を形成すると共に、容器１の内側に向かって凸状に湾曲され且つ該容器１の上方に向かって凸状に湾曲された天片６ａを有する梁板６と、後面板４に接続され、梁板６の天片６ａの湾曲形状に対応して容器１の内側に向かって凸状に湾曲され且つ容器１の上方に向かって凸状に湾曲され、該天片６ａ上にオーバーラップして当接し得る蓋板７と、該蓋板７に接続されると共に前面板３の一部に形成された係止溝３ａに係止し得る係止舌片８ａを有し、前面板３に一部が接着され、ジッパ部８ｂを開放して前面板３に接着された接着部８ｃと分離して前面板３の一部に形成された係止溝３ａを露出させると共に、蓋板７を後面板４との接続部をヒンジ部10として回動可能に開放し得る操作板８とを有して箱型に構成されている。
【００１４】
梁板６は、その一部となる閉塞片６ｂが容器１の内側に向かって凸状に湾曲される天片６ａの湾曲線６ｃに沿って折曲されて平板状でなる側面板５の外側にオーバーラップして接着され、他の一部となる接着片６ｄが折曲されて後面板４の内面に接着される。尚、各図中の斜線部は接着部を示す。
【００１５】
尚、前面板３の両端部及び後面板４の両端部には容器１を組み立てた際に該容器の内側に折り曲げられる舌片３ｂ，４ａが設けられている。図５の破線は容器１を組み立てる際の谷折り線であり、図６の破線は山折り線である。
【００１６】
前面板３、梁板６、蓋板７及び操作板８のそれぞれの表面が加飾面とされ、底板２及び後面板４のぞれぞれが説明書き面、効能書き面、或いは宣伝広告面の何れかとされている。
【００１７】
このような構成により、蓋板７が容器１の内側に向かって凸状に湾曲され且つ該容器１の上方に向かって凸状に湾曲された梁板６の天片６ａ上にオーバーラップして当接し得るためジッパ部８ｂを開放した開封後であっても容器１内部に埃等が侵入し難い。
【００１８】
また、一対の平板状の側面板５の外側に梁板６の一部である閉塞片６ｂが容器１の内側に向かって凸状に湾曲される天片６ａの湾曲線６ｃに沿って折曲されてオーバーラップして接着されたことで、梁板６の天片６ａと側面板５との間に隙間が出来ず容器１内部に埃等が侵入し難い。また、梁板６の天片６ａの剛性を確保することが出来る。
【００１９】
また、店頭陳列時には底板２或いは後面板４の説明書き面、効能書き面、或いは宣伝広告面を見せて陳列出来、使用時には前面板３、梁板６、蓋板７及び操作板８のそれぞれの表面が加飾面となり高級感を与えることが出来る。
【産業上の利用可能性】
【００２０】
本発明の活用例として、店頭陳列時には説明書き面、効能書き面、或いは宣伝広告面を見せて陳列出来、使用時には加飾面を見せて高級感を与えることが出来、開封後であっても容器内部に埃等が侵入し難い容器に適用出来る。
【図面の簡単な説明】
【００２１】
【図１】本発明に係る容器の構成を示す正面図、平面図及び側面図である。
【図２】本発明に係る容器の構成を示す斜視図である。
【図３】本発明に係る容器のジッパ部を開放して蓋板を開放した様子を示す斜視図である。
【図４】店頭陳列時に容器の底板或いは後面板の説明書き面、効能書き面、或いは宣伝広告面を見せて陳列した場合の一例を示す斜視図である。
【図５】本発明に係る容器の裏面から見た展開図である。
【図６】本発明に係る容器の表面から見た展開図である。
【符号の説明】
【００２２】
１…容器
２…底板
３…前面板
３ａ…係止溝
３ｂ…舌片
４…後面板
４ａ…舌片
５…側面板
６…梁板
６ａ…天片
６ｂ…閉塞片
６ｃ…湾曲線
６ｄ…接着片
７…蓋板
８…操作板
８ａ…係止舌片
８ｂ…ジッパ部
８ｃ…接着部
９…開口部
10…ヒンジ部
【図１】
2008087838.tif 000003
【図２】
2008087838.tif 000004
【図３】
2008087838.tif 000005
【図４】
2008087838.tif 000006
【図５】
2008087838.tif 000007
【図６】
2008087838.tif 000008